(57)【要約】【課題】意匠性を向上させること、及び、暗くなる領域が生じてしまうことを抑制すること、ができる照明装置を提供することを目的としている。【解決手段】光源部を含む灯具部と、灯具部の上側に位置する天面部、及び、天面部に接続され、灯具部の周囲に配置されている内周面部を含み、灯具部が固定される枠体と、内周面部と灯具部の端部との間に介在する遮蔽部材と、を備え、遮蔽部材は、内周面部と灯具部の端部との間の隙間を覆う第１の面部を含むものである。【選択図】図９
2018125113.tif 000002
【特許請求の範囲】
【請求項１】
光源部を含む灯具部と、
前記灯具部の上側に位置する天面部、及び、前記天面部に接続され、前記灯具部の周囲に配置されている内周面部を含み、前記灯具部が固定される枠体と、
前記内周面部と前記灯具部の端部との間に介在する遮蔽部材と、
を備え、
前記遮蔽部材は、前記内周面部と前記灯具部の前記端部との間の隙間を覆う第１の面部を含む
照明装置。
【請求項２】
直流電源装置と、
前記直流電源装置に電気的に接続されている配線とを更に備え、
前記灯具部の前記端部は、長辺端部と、前記長辺端部に交差し、前記長辺端部よりも短い短辺端部とを含み、
前記配線は、前記第１の面部と前記天面部との間に設けられ、
前記遮蔽部材は、前記内周面部と前記灯具部の前記短辺端部との間に介在し、
前記第１の面部は、前記配線を覆っている
請求項１に記載の照明装置。
【請求項３】
前記内周面部は、前記遮蔽部材に対向する第１の面と、前記第１の面に平行な第２の面と、一方側が前記第１の面に接続され、他方側が前記第２の面に接続されている第３の面とを含み、
前記第１の面は、一方の前記短辺端部側に設けられ、
前記第２の面は、他方の前記短辺端部側に設けられ、
前記第３の面と前記長辺端部との間には、前記第１の面側から前記第２の面側にかけて隙間が形成されている
請求項２に記載の照明装置。
【請求項４】
前記内周面部には、前記配線が通る開口部が形成され、
前記遮蔽部材は、前記第１の面部側から前記開口部側にかけて形成されている第２の面部を含む
請求項２に記載の照明装置。
【請求項５】
前記枠体に回動自在に取り付けられ、前記灯具部の下側に設けられているルーバーを更に備え、
前記第１の面部よりも前記第２の面部の方が上側に設けられている
請求項４に記載の照明装置。
【請求項６】
前記灯具部は、前記遮蔽部材に回転自在に支持され、
前記遮蔽部材は、前記枠体に固定されている
請求項１〜５のいずれか一項に記載の照明装置。
【請求項７】
前記遮蔽部材は、前記第１の面部に接続され、前記灯具部の前記端部に向かい合う第３の面部を含み、
前記第３の面部には、前記灯具部を回転自在に支持する第１の支持部と、前記灯具部が着脱自在になっている第２の支持部と、が設けられている
請求項６に記載の照明装置。
【請求項８】
前記灯具部には、前記遮蔽部材が固定され、
前記遮蔽部材は、前記枠体に回転自在に支持されている
請求項１〜５のいずれか一項に記載の照明装置。
【請求項９】
前記第１の面部は、前記灯具部の前記端部から前記内周面部に向かうにしたがって下側に傾斜している傾斜面が形成されている
請求項１〜８のいずれか一項に記載の照明装置。
【請求項１０】
前記遮蔽部材は、樹脂で構成されている
請求項１〜９のいずれか一項に記載の照明装置。
【発明の詳細な説明】
【技術分野】
【０００１】
本発明は、照明装置に関し、特に、灯具部が設けられている枠体を備えている照明装置に関するものである。
【背景技術】
【０００２】
照明装置には、カバー等を含む灯具部と、灯具部を収容する２つの枠体と、一方の枠体と他方の枠体とを接続するフレームと、灯具部の下に配置されるルーバーとを備えたものがある（例えば、特許文献１参照）。特許文献１に記載の照明装置は、２つの枠体とフレーム等とを組み合わせることで器具本体が構成される。また、特許文献１に記載の照明装置は、一方の枠体内には直流電源装置が収納され、また、フレームには電源端子台が設けられている。また、枠体の内周面と灯具部との間には、室内の空気を灯具部の上部に移動させるための隙間が形成されている。
【０００３】
天井支持バーにて格子状に形成されたグリッド天井のサイズは、一般的に６００ｍｍ角と６４０ｍｍ角が市場に流通している。例えば、サイズが６４０ｍｍ角であるグリッド天井に備え付ける照明装置は、灯具部のサイズをグリッド天井のサイズに合わせて６４０ｍｍ角のものを採用している態様と、灯具部のサイズを６００ｍ角のものを流用している態様と、がある。
【先行技術文献】
【特許文献】
【０００４】
【特許文献１】特許第５６５２２８８号公報
【発明の概要】
【発明が解決しようとする課題】
【０００５】
従来の照明装置では、枠体の内周面と灯具部との間に形成される隙間から、例えば枠体の天面部等が見えてしまい、意匠性が低下してしまうという課題がある。枠体の天面部には、例えば、直流電源装置と電源端子台とを電気的に接続する配線が設けられている。このため、枠体の内周面と灯具部との間に形成される隙間から、例えば配線が見えてしまう場合がある。
【０００６】
例えばグリッド天井のサイズが６４０ｍｍ角である場合には、枠体の長手方向のサイズが６２５ｍｍとなる。この枠体に、上述のように、６００ｍｍ角用の灯具部を流用すると、灯具部から出た光がルーバーの端部に届きにくくなる。照明装置はルーバーの端部の領域が暗くなってしまうという課題がある。
【０００７】
本発明は、以上のような課題を解決するためになされたもので、意匠性を向上させること、及び、暗くなる領域が生じてしまうことを抑制すること、ができる照明装置を提供することを目的としている。
【課題を解決するための手段】
【０００８】
本発明に係る照明装置は、光源部を含む灯具部と、灯具部の上側に位置する天面部、及び、天面部に接続され、灯具部の周囲に配置されている内周面部を含み、灯具部が固定される枠体と、内周面部と灯具部の端部との間に介在する遮蔽部材と、を備え、遮蔽部材は、内周面部と灯具部の端部との間の隙間を覆う第１の面部を含むものである。
【発明の効果】
【０００９】
本発明に係る照明装置によれば、上記構成を有しているため、意匠性を向上させること、及び、暗くなる領域が生じてしまうことを抑制すること、ができる。
【図面の簡単な説明】
【００１０】
【図１】実施の形態１に係る照明装置１００の分解斜視図である。
【図２】実施の形態１に係る照明装置１００の斜視図である。
【図３】図２に示す照明装置１００のルーバー２３０を取り外した状態の斜視図である。
【図４】実施の形態１に係る照明装置１００の枠体２０１の斜視図である。
【図５Ａ】実施の形態１に係る照明装置１００の平面視図である。
【図５Ｂ】実施の形態１に係る照明装置１００の配線Ｗ１及び開口部Ｏｐ１等を説明する模式図である。
【図６】図５Ａに示すＡ−Ａ断面の説明図である。
【図７】図５Ａに示すＢ−Ｂ断面の説明図である。
【図８Ａ】実施の形態１に係る照明装置１００の灯具部３００の分解図である。
【図８Ｂ】実施の形態１に係る照明装置１００の灯具部３００の取付部材３の説明図である。
【図８Ｃ】実施の形態１に係る照明装置１００の取付部材３の第２の被支持部３２及び第２の被支持部３２に嵌る第２の支持部２５２等の説明図である。
【図９】実施の形態１に係る照明装置１００の遮蔽部材５０の説明図である。
【図１０】実施の形態２に係る照明装置１２０の斜視図である。
【図１１】図２に示す照明装置１２０のルーバー２３０を取り外した状態の斜視図である。
【図１２】実施の形態２に係る照明装置１２０の平面視図である。
【図１３】図１２に示すＡ−Ａ断面の説明図である。
【図１４】図１２に示すＢ−Ｂ断面の説明図である。
【図１５】実施の形態２に係る照明装置１２０の遮蔽部材６０の説明図である。
【発明を実施するための形態】
【００１１】
実施の形態１．
図１は、実施の形態１に係る照明装置１００の分解斜視図である。
図２は、実施の形態１に係る照明装置１００の斜視図である。
図３は、図２に示す照明装置１００のルーバー２３０を取り外した状態の斜視図である。
図４は、実施の形態１に係る照明装置１００の枠体２０１の斜視図である。
図５Ａは、実施の形態１に係る照明装置１００の平面視図である。
図５Ｂは、実施の形態１に係る照明装置１００の配線Ｗ１及び開口部Ｏｐ１等を説明する模式図である。
図６は、図５Ａに示すＡ−Ａ断面の説明図である。
図７は、図５Ａに示すＢ−Ｂ断面の説明図である。
【００１２】
なお、実施の形態の説明において、「上側（上方）」は、Ｚ１方向に対応し、「下側（下方）」は、Ｚ２方向に対応している。また、「水平方向」は、Ｘ１方向、Ｘ２方向、Ｙ１方向及びＹ２方向に対応している。なお、Ｘ１方向とＸ２方向とは逆方向であり、Ｙ１方向及びＹ２方向とは逆方向である。また、Ｘ１方向及びＸ２方向と、Ｙ１方向及びＹ２方向とは直交する。また、Ｙ１方向及びＹ２方向は、灯具部３００の長手方向に平行であり、Ｘ１方向及びＸ２方向は、灯具部３００の短手方向に平行である。
なお、Ｘ１方向、Ｘ２方向、Ｙ１方向、Ｙ２方向、Ｚ１方向及びＺ２方向は、照明装置１００が天井に取り付けられている状態における方向を示している。照明装置１００は、壁等、天井以外の被取り付け部に取り付けられていてもよい。
【００１３】
＜照明装置１００の構成説明＞
照明装置１００は、固定具（図示省略）を介して例えば天井に取り付けられ、長尺に形成された灯具部３００が点灯することによって室内等に光が照射される。図１に示すように、照明装置１００には、器具本体２００と、器具本体２００に設けられ、灯具部３００に給電して灯具部３００を点灯させる直流電源装置２１０と、器具本体２００に設けられ、着脱自在の２つの灯具部３００とを備えている。また、図１に示すように、照明装置１００は、灯具部３００から照射される光を和らげる複数のルーバー２３０と、灯具部３００に給電するのに利用され、電源線が取り付けられる電源端子台２０２Ａとを備えている。
【００１４】
図３に示すように、器具本体２００は、２つの枠体２０１を備え、例えば金属等で構成される。図１に示すように、器具本体２００の枠体２０１は、灯具部３００の側部を囲む内周面部２０１Ａと、灯具部３００の上側に位置する天面部２０１Ｂとを備えている。内周面部２０１Ａと天面部２０１Ｂとは例えば直交するように配置されている。枠体２０１には２つのフレーム２０２が接続されている。図１、図３及び図４に示すように、内周面部２０１Ａは、第１の面２０１Ａ１と、第２の面２０１Ａ２と、第３の面２０１Ａ３と、第４の面２０１Ａ４とを含む。第１の面２０１Ａ１と第２の面２０１Ａ２とは例えば平行に設けられている。第３の面２０１Ａ３と第４の面２０１Ａ４とは例えば平行に設けられている。第１の面２０１Ａ１と第３の面２０１Ａ３とは例えば直交し、第１の面２０１Ａ１と第４の面２０１Ａ４とは例えば直交する。第２の面２０１Ａ２と第３の面２０１Ａ３とは例えば直交し、第１の面２０１Ａ１と第４の面２０１Ａ４とは例えば直交する。図４及び図５Ｂに示すように、第４の面２０１Ａ４には、配線Ｗ１が通る開口部Ｏｐ１が形成されている。また、第４の面２０１Ａ４には、配線Ｗ２が通る開口部Ｏｐ２が形成されている。第１の面２０１Ａ１は灯具部３００の一方の短手端部側（後述する端部ＳＥ１側）に設けられている。第２の面２０１Ａ２は灯具部３００の他方の短手端部側（後述する端部ＳＥ２側）に設けられている。天面部２０１Ｂには、通気穴２０１Ｃが形成されている。天面部２０１Ｂは例えば矩形状である。通気穴２０１Ｃは、一方の灯具部３００を収容する一方の枠体２０１に複数形成されている。通気穴２０１Ｃはいわゆる空調リターン穴である。なお、通気穴２０１Ｃが形成されていることで、枠体２０１内に暖まった空気がこもることを回避することもできる。
【００１５】
器具本体２００の枠体２０１は、２つの灯具部３００を収容している。枠体２０１の下面側には、矩形状の開口２０１Ｄが形成されている。内周面部２０１Ａには、ルーバー２３０が取り付けられており、灯具部３００は、このルーバー２３０を介して室内等に臨む。図１に示すように、ルーバー２３０は、灯具部３００の下側に配置されている。ルーバー２３０は、枠体２０１に取り付けられる２つのルーバー連結片２３０ａと、ルーバー連結片２３０ａに回動自在に設けられている複数のルーバー片２３０ｂとを備えている。ルーバー連結片２３０ａとルーバー片２３０ｂとは例えば直交している。一方のルーバー連結片２３０ａは第３の面２０１Ａ３に取り付けられ、他方のルーバー連結片２３０ａは第４の面２０１Ａ４に取り付けられている。ルーバー片２３０ｂは、灯具部３００の長手方向に直交するＸ１方向及びＸ２方向に平行に設けられ、灯具部３００の長手方向（Ｙ１方向及びＹ２方向）に並ぶように複数配置されている。ルーバー片２３０ｂの両端部の上端が、ルーバー片２３０ｂの中央部よりも上側に突出している。
【００１６】
照明装置１００には、図５Ａに示すように、電源端子台２０２Ａが設けられている。電源端子台２０２Ａは、フレーム２０２に固定されている。フレーム２０２は、２つの枠体２０１に接続されている。
【００１７】
灯具部３００は、開閉自在に遮蔽部材５０（スペーサー）に支持されている。灯具部３００を開くと灯具部３００によって隠れていた構成が露出する。具体的には、灯具部３００を開くと、直流電源装置２１０及び通気穴２０１Ｃ等といった構成が露出する。したがって、直流電源装置２１０のメンテナンスは、灯具部３００を枠体２０１から完全に取り外さなくても実施することができる。灯具部３００の長手方向の両端部には、それぞれ取付部材３が設けられている。この取付部材３は、枠体２０１から着脱自在になっている。灯具部３００は、取付部材３によって枠体２０１に支持される。灯具部３００等の支持構造については後段で詳しく説明する。
【００１８】
図３及び図７に示すように、照明装置１００にはＹ１方向又はＹ２方向に延びる隙間Ｃｌが形成されている。隙間Ｃｌは、第３の面２０１Ａ３と灯具部３００の長辺端部（後述する端部ＬＥ１及び端部ＬＥ２）との間に形成されている。すなわち、第３の面２０１Ａ３と灯具部３００の長辺端部との間には、第１の面２０１Ａ１側から第２の面２０１Ａ２側にかけて隙間Ｃｌが形成され、第４の面２０１Ａ４と灯具部３００の長辺端部との間には、第１の面２０１Ａ１側から第２の面２０１Ａ２側にかけて隙間Ｃｌが形成されている。この隙間Ｃｌが形成されていることで、室内から通気穴２０１Ｃへの流路を形成する。
【００１９】
なお、照明装置１００は図１等に示した形態以外のものであってもよい。例えば、照明装置１００は、１つの灯具部３００を着脱自在に取り付けられるものであってもよい。また、照明装置１００には、ルーバー２３０が、取り付けられていなくてもよい。また、照明装置１００は、器具本体２００が枠体２０１を１つだけ備えるものであってもよい。また、照明装置１００は、天井以外に取り付けられるものであってもよい。
【００２０】
＜灯具部３００について＞
図８Ａは、実施の形態に係る照明装置１００の灯具部３００を上側から見た分解図である。灯具部３００は長尺状部材である。灯具部３００は、２つの長辺端部と、２つの短辺端部とを備えている。すなわち、灯具部３００は、一方の長辺端部としての端部ＬＥ１と、他方の長辺端部としての端部ＬＥ２とを備えている。また、灯具部３００は、一方の短辺端部としての端部ＳＥ１と、他方の短辺端部としての端部ＳＥ２とを備えている。各遮蔽部材５０は端部ＳＥ１及び端部ＳＥ２にそれぞれ１つずつ設けられている。灯具部３００は、端部が遮蔽部材５０に支持（係止）される構造を備えている。一方、遮蔽部材５０には、灯具部３００を支持する支持構造が設けられている。灯具部３００は、両方の端部にそれぞれ設けられた取付部材３と、曲げ形成された反射板３０２と、光を通過する透光性カバー３０３と、光源としてＬＥＤが採用されている光源部３０４と、光源部３０４が設置された設置部３０５とを備えている。なお、実施の形態では、光源モジュールの光源としてＬＥＤを採用している場合について説明するが、それに限定されるものではない。例えば、灯具部３００は、有機ＥＬを光源とした態様であってもよいし、蛍光灯を光源とした態様であってもよい。また、灯具部３００の光源部３０４の光照射方向とは、矢印Ｚ２方向に対応している。
【００２１】
遮蔽部材５０には、取付部材３を回転自在に支持する第１の支持部２５１と、取付部材３に嵌ることで取付部材３を支持する第２の支持部２５２と、が設けられている。照明装置１００には、２つの灯具部３００が設けられている。そして、それぞれの灯具部３００には、２つの取付部材３が設けられている。すなわち、照明装置１００には、４つの取付部材３が設けられている。第１の支持部２５１及び第２の支持部２５２も、取付部材３の数に応じ、４つずつ設けられている。第１の支持部２５１は、第２の支持部２５２よりも下側に配置されている。第１の支持部２５１及び第２の支持部２５２は、遮蔽部材５０に締結された棒状部材（例えばネジ状の部材）で構成することができる。
【００２２】
取付部材３は、例えば金属製の板材で構成することができる。取付部材３の一方には、枠体２０１に設けられた第１の支持部２５１に回転自在に支持される第１の被支持部３１が形成され、取付部材３の他方には、枠体２０１に設けられた第２の支持部２５２に嵌まる第２の被支持部３２が形成されている。取付部材３は、金属製の板材である第１の金具Ｕ１及び金属製の板材である第２の金具Ｕ２の２つの部品を含む。第１の金具Ｕ１と第２の金具とは、例えば、ネジ等の固定部材で固定されている。
【００２３】
反射板３０２は、透光性カバー３０３を通過した光等を室内に反射させる反射部３０２Ａと、反射部３０２Ａの端部に曲げ形成された折曲部３０２Ｂと、透光性カバー３０３が配置される段部３０２Ｃとを含む。灯具部３００が枠体２０１に取り付けられ、且つ、取付部材３の第２の被支持部３２が第２の支持部２５２に嵌っている状態において、反射部３０２Ａは透光性カバー３０３が配置されている側（段部３０２Ｃ側）から折曲部３０２Ｂ側に向かうにしたがって下側に傾斜している。反射部３０２Ａの下側には、ルーバー２３０が配置されている。また、反射部３０２Ａの上側には、取付部材３と、直流電源装置２１０と、直流電源装置２１０に電気的に接続される配線Ｗ１（図５Ｂ参照）と、灯具部３００同士を電気的に接続する配線Ｗ２（図５Ｂ参照）とが配置されている。なお、１つの灯具部３００には、２つの反射部３０２Ａが設けられている。一方の反射部３０２Ａの上側には、第１の金具Ｕ１が配置されており、他方の反射部３０２Ａの上側には、第２の金具Ｕ２が配置されている。この反射部３０２Ａが設けられていることにより、取付部材３、直流電源装置２１０及び配線Ｗ１が隠れるので、照明装置１００の意匠性を向上させることができる。
【００２４】
折曲部３０２Ｂは、反射部３０２Ａの端部が曲げられて形成された部分であり、反射部３０２Ａの端部からＺ１方向に延びるように形成されている。折曲部３０２Ｂが形成されていることにより、灯具部３００の上側に配置されている構成（直流電源装置２１０等）が見えにくくなり、照明装置１００の意匠性を向上させることができる。また、折曲部３０２Ｂが形成されていることにより、作業者が反射板３０２の端面で手指を傷付けてしまうことを回避することができる。また、折曲部３０２Ｂを形成することにより、反射部３０２Ａの長手方向のたわみを抑制することができる。
【００２５】
段部３０２Ｃは、反射板３０２におけるＸ１方向及びＸ２方向に平行な幅の中央側に形成されている。段部３０２Ｃは、一方が設置部３０５に接続され、他方が反射部３０２Ａに接続されている。段部３０２Ｃは段状に形成されているものである。詳細には、反射部３０２Ａが形成されている位置の方が、透光性カバー３０３が配置される設置部３０５が形成されている位置よりも、下側に位置している。段部３０２Ｃには、透光性カバー３０３が端部側に形成された後述の平面部３０３Ｂに対向配置されている。
【００２６】
透光性カバー３０３は、反射板３０２と同様にＹ１方向及びＹ２方向に平行に延びるように形成された長尺状の部材である。透光性カバー３０３は、光を透過させることができれば材質は特に限定されるものではない。なお、灯具部３００を第２の支持部２５２から外し、灯具部３００が第１の支持部２５１を軸として回転したときに、透光性カバー３０３と枠体２０１とが衝突することがある。したがって、透光性カバー３０３を、例えば樹脂で構成すると、衝突によって透光性カバー３０３及び枠体２０１のいずれも傷つくことを回避することができる。透光性カバー３０３は、曲面状に形成された曲面部３０３Ａと、曲面部３０３Ａの長辺に対応する両端にそれぞれ形成された平面部３０３Ｂと、曲面部３０３Ａの短辺に対応する両端にそれぞれ形成された平面部３０３Ｃと、取付部材３に固定される固定部３０３Ｄと、固定部３０３Ｄと固定部材３０３Ｅとを固定する固定部材３０３Ｅとを含む。
【００２７】
曲面部３０３Ａは、光源部３０４から照射される光のムラを抑制する機能を有する。すなわち、曲面部３０３Ａの縦断面形状は、光源部３０４の光源から曲面部３０３Ａまでの距離が同じとなるように、光源部３０４の光源を中心とした円弧状になっている。光源部３０４の光源としてＬＥＤが採用されている場合には、光の強度が特に高い角度範囲（配光角）に応じて曲面部３０３Ａの形状を設定するとよい。
平面部３０３Ｂは、段部３０２Ｃに対向配置されているものである。すなわち、透光性カバー３０３は、２つの段部３０２Ｃの間に収められた状態で、設置部３０５に設置される。
固定部３０３Ｄは、平面視形状が三角形状をしているものである。固定部３０３Ｄには、固定部材３０３Ｅが挿入される開口部が形成されており、固定部材３０３Ｅによって取付部材３に固定される。すなわち、透光性カバー３０３は、固定部３０３Ｄが固定部材３０３Ｅによって取付部材３に取り付けられている。ここで、透光性カバー３０３を固定する構成を平面部３０３Ｂに形成することもできる。例えば、平面部３０３Ｂに開口部を形成し、固定部材を段部３０２Ｃに締結したり、設置部３０５に締結したりするということである。しかし、この態様では、透光性カバー３０３の平面部３０３Ｂと設置部３０５との間に隙間ができやすく、透光性カバー３０３から光が漏れてしまいやすい構造となっている。そこで、透光性カバー３０３は、長辺に対応する端部ではなく、短辺に対応する端部に固定部３０３Ｄを形成し、平面部３０３Ｂと設置部３０５との間に隙間が発生することを抑制し、透光性カバー３０３から光が漏れてしまうことを抑制しながら、透光性カバー３０３を固定することができるようになっている。
【００２８】
光源部３０４は、例えば、ＬＥＤモジュール等が設けられた基板に対応する構成である。光源部３０４は、設置部３０５に配置されている。光源部３０４も、透光性カバー３０３と同様に長尺状の部材である。光源部３０４は、例えば、設置部３０５にツメ構造を形成して設置部３０５に固定することもできるし、ネジで設置部３０５に固定することもできる。
【００２９】
設置部３０５は、灯具部３００が枠体２０１に取り付けられている状態において、下面に光源部３０４が取り付けられ、上面の上側に直流電源装置２１０等が配置されている。設置部３０５には、光源部３０４を覆うように透光性カバー３０３が取り付けられている。
【００３０】
＜取付部材３の構成＞
図８Ｂは、実施の形態１に係る照明装置１００の灯具部３００の取付部材３の説明図である。取付部材３は、切欠である第１の被支持部３１と開口部である第２の被支持部３２とが形成された取付部材本体３０と、取付部材本体３０を構成する部品同士を連結する固定部材３７と、設置部３０５に固定される固定部３６と、作業者が第２の支持部２５２に嵌っている第２の被支持部３２を外すときに握持する操作部３５とを含む。取付部材本体３０は、例えば鉄等で構成される第１の金具Ｕ１と、第１の金具Ｕ１に固定され、例えばステンレス等で構成される第２の金具Ｕ２とを含む。
【００３１】
取付部材本体３０の第１の金具Ｕ１の一方には、切欠である第１の被支持部３１が形成され、他方には固定部材３７が挿入されている。固定部材３７は、例えば、ボルト及びナットで構成することができる。なお、固定部材３７は、この構成に限定されるものではなく、リベット等であってもよい。
【００３２】
第２の金具Ｕ２には、上端部にはＺ１方向及びＺ２方向に対して平行ではなく交差する傾斜面部３３が形成されている。傾斜面部３３は、第２の被支持部３２に第２の支持部２５２が嵌められる際に第２の支持部２５２と接触する傾斜面が形成されている。第２の金具Ｕ２の端部には、操作部３５が設けられている。第２の金具Ｕ２には、傾斜面部３３の形成位置の下側に開口部である第２の被支持部３２が形成されている。第２の被支持部３２には、第２の支持部２５２が嵌められる。第２の金具Ｕ２は、第１の金具Ｕ１よりも薄く構成されおり、また、材質が第１の金具Ｕ１を構成する鉄よりも柔らかいステンレスであるため、撓みやすくなっている。このため、操作部３５を持って第２の金具Ｕ２を変形させることで、第２の被支持部３２を第２の支持部２５２から外すことができるようになっている。固定部３６は、第１の金具Ｕ１に接続された板状部材である。固定部３６には、例えば、ネジ等の固定部材が挿入されて、設置部３０５に固定される。操作部３５は、第２の金具Ｕ２に対して平行ではなく、交差するように設けられている。すなわち、操作部３５は、第２の金具Ｕ２との接続側である一端側よりも、他端側の方がＹ１方向側又はＹ２方向側に位置している。これにより、作業者は、操作部３５を持って第２の金具Ｕ２を撓ませやすくなっている。
【００３３】
＜灯具部３００の着脱動作について＞
図８Ｃは、実施の形態に係る照明装置１００の取付部材３の第２の被支持部３２及び第２の被支持部３２に嵌る第２の支持部２５２等の説明図である。図８Ｃ（ａ）は第２の被支持部３２を第２の支持部２５２に着脱する際の様子の説明図である。図８Ｃ（ｂ）は、図８Ｃ（ａ）に示す点線Ａ−Ａを通る断面図である。なお、図８Ｃ（ａ）では、説明の都合上、フレーム２０２等の構成については除いている。
【００３４】
第２の被支持部３２に第２の支持部２５２を嵌める場合には、図８Ｃ（ａ）及び図８Ｃ（ｂ）に示す取付部材３（第２の被支持部３２）が上側に移動していく。そして、第２の支持部２５２の先端面と傾斜面部３３とが接触する。ここで、第２の支持部２５２が曲面状であるため、第２の支持部２５２も傾斜面部３３も破損等することを回避することができる。そして、取付部材３を上側に移動していくと、第１の金具Ｕ１よりも撓みやすい第２の金具Ｕ２は、第２の支持部２５２に押されてＹ１方向側に撓む。さらに、取付部材３を上側に移動していくと、第２の金具Ｕ２の第２の被支持部３２に第２の支持部２５２が嵌る。第２の被支持部３２から第２の支持部２５２を外す場合には、上記の動きとは逆になる。
【００３５】
＜遮蔽部材５０について＞
図９は、実施の形態１に係る照明装置１００の遮蔽部材５０の説明図である。
図９（ａ）及び図９（ｆ）は遮蔽部材５０の斜視図である。
図９（ｂ）及び図９（ｄ）は遮蔽部材５０を下面側から見た図である。
図９（ｃ）は遮蔽部材５０を第３の面部５１Ｃの正面から見た図である。
図９（ｅ）は図９（ａ）に示すＡＲ２方向から遮蔽部材５０を見た図である。
図９（ｇ）は図９（ａ）に示すＡＲ１方向から遮蔽部材５０を見た図である。
【００３６】
遮蔽部材５０は１つの枠体２０１に２つ設けられている。一方の遮蔽部材５０は第１の面２０１Ａ１に設けられ、他方の遮蔽部材５０は第２の面２０１Ａ２に設けられている。遮蔽部材５０は、枠体２０１の内周面部２０１Ａと灯具部３００の短辺端部との間に介在している。ここで、短辺端部は、図８Ａで示す端部ＳＥ１又は端部ＳＥ２を指す。遮蔽部材５０は、第１の面部５１Ａと、第２の面部５１Ｂと、第３の面部５１Ｃと、第４の面部５１Ｄと、第５の面部５１Ｅと、第６の面部５１Ｆとを備えている。遮蔽部材５０は、一枚の金属板材から構成されているものとして説明するが、それに限定されるものではない。遮蔽部材５０は樹脂で構成することもできる。遮蔽部材５０を樹脂で構成することで照明装置１００の製造コストを抑制することができる。遮蔽部材５０は枠体２０１に固定部材（例えばネジ）で固定されている。
【００３７】
遮蔽部材５０が設けられていることで、灯具部３００から出た光が遮蔽部材５０の表面を反射し、ルーバー２３０の端部に届きやすくなる。このため、照明装置１００はルーバー２３０の端部の領域２３０Ａ（図５Ａ参照）が暗くなることを抑制することができる。なお、図５Ａにおいて、領域２３０Ａは矩形状のハッチング領域として示されている。なお、遮蔽部材５０の第１の面部５１Ａには、光が反射しやすいように光反射塗料で構成される反射膜が形成されているとよい。これにより、灯具部３００から出た光をより効率的にルーバー２３０の端部に届けることができる。なお、この反射膜は、遮蔽部材５０の例えば第２の面部５１Ｂ、第３の面部５１Ｃ及び第６の面部５１Ｆ等に形成されていてもよい。
【００３８】
第１の面部５１Ａは、第３の面部５１Ｃと第５の面部５１Ｅと第６の面部５１Ｆとに接続されている。第１の面部５１Ａと第３の面部５１Ｃとは例えば直交している。第１の面部５１Ａと第５の面部５１Ｅとは例えば直交している。第１の面部５１Ａと第６の面部５１Ｆとは例えば直交している。第３の面部５１Ｃと第５の面部５１Ｅとは例えば平行である。第１の面部５１Ａと第４の面部５１Ｄとは例えば平行である。第２の面部５１Ｂは第６の面部５１Ｆに接続されている。第３の面部５１Ｃは第１の面部５１Ａと第４の面部５１Ｄと第６の面部５１Ｆとに接続されている。
【００３９】
第１の面部５１Ａは、矩形状の平板部材である。第１の面部５１Ａは、Ｙ１方向又はＹ２方向において、内周面部２０１Ａから、灯具部３００の短辺端部にかけて形成されている。遮蔽部材５０は１つの枠体２０１に２つ設けられている。このため、一方の遮蔽部材５０については、第１の面部５１Ａは内周面部２０１Ａの第１の面２０１Ａ１から灯具部３００の端部ＳＥ１にかけて形成され、他方の遮蔽部材５０については、第１の面部５１Ａは内周面部２０１Ａの第２の面２０１Ａ２から灯具部３００の端部ＳＥ２にかけて形成されている。
室内から天井に設けられた照明装置１００を見たときには、第１の面部５１Ａはルーバー２３０の隙間から見ることができる（図１及び図５Ａ参照）。すなわち、第１の面部５１Ａは遮蔽部材５０の意匠面である。遮蔽部材５０は第１の面部５１Ａを備えているので、灯具部３００と枠体２０１の内周面部２０１Ａとの間の隙間を覆うことができる。このため、照明装置１００は灯具部３００と枠体２０１の内周面部２０１Ａとの間の隙間を隠すことができる。このため、照明装置１００は意匠性が向上している。また、灯具部３００の上側には直流電源装置２１０が配置されており、枠体２０１には直流電源装置２１０に電気的に接続されている配線Ｗ１と灯具部３００同士を電気的に接続する配線Ｗ２とが設けられている（図５Ｂ参照）。配線Ｗ１及び配線Ｗ２は、灯具部３００と枠体２０１の内周面部２０１Ａとの間の隙間に配置されている。遮蔽部材５０が設けられていないと、室内から天井に設けられた照明装置１００を見たときに、この配線Ｗ１及び配線Ｗ２が見えてしまい、照明装置１００の意匠性が低下する。このため、第１の面部を備えた遮蔽部材５０が配線Ｗ１及び配線Ｗ２を隠し、照明装置１００は意匠性が向上している。
【００４０】
第２の面部５１Ｂは曲げ形成された板状部材である。一方の遮蔽部材５０の第２の面部５１Ｂは、Ｘ１方向又はＸ２方向において、第１の面部５１Ａ側から開口部Ｏｐ１側（図４参照）にかけて形成されている。他方の遮蔽部材５０の第２の面部５１Ｂは、Ｘ１方向又はＸ２方向において、第１の面部５１Ａ側から開口部Ｏｐ２側にかけて形成されている。すなわち、第２の面部５１Ｂは、Ｘ１方向又はＸ２方向に延びるように形成されている。開口部Ｏｐ１は直流電源装置２１０と電源端子台２０２Ａとを電気的に接続する配線Ｗ１が通る。開口部Ｏｐ２は灯具部３００同士を電気的に接続する配線Ｗ２が通る。第２の面部５１Ｂが配線Ｗ１及び配線Ｗ２を隠すことで、照明装置１００は意匠性が向上している。
第２の面部５１Ｂは、Ｘ−Ｙ面に平行な面部Ｓ１と、Ｘ−Ｚ面に平行なの面部Ｓ２と、Ｘ−Ｚ面に平行であり、面部Ｓ２に対向する面部Ｓ３とを備えている。面部Ｓ１及び面部Ｓ２が開口部Ｏｐ１を通る配線Ｗ１を隠す機能を有している。また、面部Ｓ１及び面部Ｓ２は開口部Ｏｐ２を通る配線Ｗ２を隠す機能も有している。また、開口部Ｏｐ１を通る配線Ｗ１と灯具部３００とは接近し、また、開口部Ｏｐ２を通る配線Ｗ２と灯具部３００とは近接している。このため、灯具部３００を着脱しているときに配線がばらける可能性、及び、灯具部３００を着脱しているときに配線が傷ついてしまう可能性がある。第２の面部５１Ｂは、面部Ｓ１及び面部Ｓ２を含むので、配線Ｗ１及び配線Ｗ２が設けられる側と、灯具部３００が設けられる側とを、区画することができる。このため、照明装置１００は、灯具部３００を着脱しているときに配線が絡まる可能性及び灯具部３００を着脱しているときに配線が傷ついてしまう可能性を、低減することができる。
【００４１】
第３の面部５１Ｃは平板状部材である。第３の面部５１Ｃは、灯具部３００の短辺端部に向かいあっている。第３の面部５１Ｃは、灯具部３００を支持する機能を有している。第３の面部５１Ｃには、灯具部３００を回転自在に支持する第１の支持部２５１と、灯具部３００が着脱自在になっている第２の支持部２５２と、が設けられている。第３の面部５１Ｃは、第１の支持部２５１が固定される開口部５１Ｃ１と、第２の支持部２５２が固定される開口部５１Ｃ２とが形成されている。実施の形態１では、灯具部３００は取付部材３を備えている。このため、第１の支持部２５１は取付部材３を回転自在に支持し、第２の支持部２５２は取付部材３が着脱自在になっている。第１の支持部２５１及び第２の支持部２５２の構成については、図８Ａ〜図８Ｃで説明した通りであるため省略する。
【００４２】
第４の面部５１Ｄ及び第５の面部５１Ｅは矩形状の平板部材である。第４の面部５１Ｄ及び第５の面部５１Ｅは遮蔽部材５０を枠体２０１に固定する機能を有している。すなわち、第４の面部５１Ｄは天面部２０１Ｂに固定される。第４の面部５１Ｄと天面部２０１Ｂとは固定部材（例えばネジ）で固定される。第４の面部５１Ｄは、この固定部材が挿入される、開口部５１Ｄ１及び開口部５１Ｄ２が形成されている。また、一方の遮蔽部材５０の第５の面部５１Ｅは、内周面部２０１Ａの第１の面２０１Ａ１に固定され、他方の遮蔽部材５０の第５の面部５１Ｅは、内周面部２０１Ａの第２の面２０１Ａ２に固定される。第５の面部５１Ｅと内周面部２０１Ａとは固定部材（例えばネジ）で固定される。
【００４３】
第６の面部５１Ｆは矩形状の平板部材である。第６の面部５１Ｆは、第１の面部５１Ａ、第２の面部５１Ｂ及び第３の面部５１Ｃに接続されている。遮蔽部材５０は、第１の面部５１Ａと、第６の面部５１Ｆと、第２の面部５１Ｂの面部Ｓ２とによって、段差が形成されている。第１の面部５１Ａよりも第２の面部５１Ｂの方が上側に設けられている。すなわち、第１の面部５１Ａの高さよりも、第２の面部５１Ｂの面部Ｓ１の高さの方が、高くなっている。面部Ｓ２がルーバー２３０から逃げる構成とし、ルーバー片２３０ｂの上端部と遮蔽部材５０とが干渉してしまうことを回避するためである。すなわち、ルーバー片２３０ｂの両端部の上端はルーバー片２３０ｂの中央部よりも上側に突出しているので、ルーバー片２３０ｂ（図１参照）を回動したときに、ルーバー片２３０ｂの両端部の上端と、遮蔽部材５０とが干渉してしまうことがないように、第１の面部５１Ａの高さよりも、第２の面部５１Ｂの面部Ｓ１の高さの方が、高くなっている。
【００４４】
＜実施の形態１の効果＞
照明装置１００は第１の面部５１Ａを含む遮蔽部材５０を備えているので、灯具部３００と枠体２０１の内周面部２０１Ａとの間の隙間を覆うことができる。このため、照明装置１００は、天面部２０１Ｂが見えてしまうことを回避することができ、意匠性が向上している。
【００４５】
また、照明装置１００は第１の面部５１Ａを含む遮蔽部材５０を備えているので、灯具部３００から出た光が遮蔽部材５０の表面を反射し、ルーバー２３０の端部に届きやすくなる。このため、照明装置１００はルーバー２３０の端部の領域２３０Ａ（図５Ａ参照）が暗くなることを抑制することができる。
【００４６】
照明装置１００は、設置されるグリッド天井のサイズとは異なるサイズの灯具部３００を流用しても、上述の意匠性向上の効果及びルーバー２３０の端部の領域が暗くなることを抑制する効果、の両方を得ることができる。すなわち、照明装置１００は、部品の共通化を図ることができる。なお、グリッド天井のサイズとは異なるサイズの灯具部を流用する場合というのは、例えば６４０ｍｍ角の照明器具に６００ｍｍ角の灯具部を用いる、ことを指している。ここで述べた、照明器具の６４０ｍｍ角という寸法及び灯具部の６００ｍｍ角という寸法は、一例であり、実際の照明器具の寸法及び実際の灯具部の寸法はこの限りではない。
【００４７】
＜変形例＞
なお、遮蔽部材５０が枠体２０１に固定されているものとして説明したがそれに限定されるものではない。遮蔽部材５０は灯具部３００に固定されていてもよい。すなわち、灯具部３００には遮蔽部材が固定され、遮蔽部材は枠体２０１に回転自在に支持されていてもよい。変形例の遮蔽部材は、取付部材３の機能を備えていればよい。すなわち、遮蔽部材は、第１の被支持部３１及び第２の被支持部３２を備えていればよい。そして、第１の支持部２５１及び第２の支持部２５２は、枠体２０１の第１の面２０１Ａ１及び第２の面２０１Ａ２に固定されていればよい。変形例であっても、照明装置１００と同様の効果を得ることができる。
【００４８】
実施の形態２．
図１０は、実施の形態２に係る照明装置１２０の斜視図である。
図１１は、図２に示す照明装置１２０のルーバー２３０を取り外した状態の斜視図である。
図１２は、実施の形態２に係る照明装置１２０の平面視図である。
図１３は、図１２に示すＡ−Ａ断面の説明図である。
図１４は、図１２に示すＢ−Ｂ断面の説明図である。
実施の形態２は実施の形態１と相違する部分を中心に説明をするものとし、共通する構成については同一符号を付し、説明を省略する。実施の形態２の遮蔽部材６０は傾斜面を有する。実施の形態２の図１０は実施の形態１の図２に対応している。実施の形態２の図１１は実施の形態１の図３に対応している。実施の形態２の図１２は実施の形態１の図５Ａに対応している。実施の形態２の図１３は実施の形態１の図６に対応している。実施の形態２の図１４は実施の形態１の図７に対応している。
【００４９】
＜遮蔽部材６０について＞
図１５は、実施の形態２に係る照明装置１２０の遮蔽部材６０の説明図である。
図１５（ａ）及び図１５（ｆ）は遮蔽部材５０の斜視図である。
図１５（ｂ）及び図１５（ｄ）は遮蔽部材５０を下面側から見た図である。
図１５（ｃ）は遮蔽部材５０を第３の面部５１Ｃの正面から見た図である。
図１５（ｅ）は図１５（ａ）に示すＡＲ２方向から遮蔽部材６０を見た図である。
図１５（ｇ）は図１５（ａ）に示すＡＲ１方向から遮蔽部材６０を見た図である。
【００５０】
第１の面部６１Ａは、灯具部３００の端部から内周面部２０１Ａに向かうにしたがって下側に傾斜している傾斜面が形成されている。実施の形態２では、第１の面部６１Ａ自体が傾斜して設けられている。この傾斜面は、第１の面部６１Ａの意匠面であり、第１の面部６１Ａの下面である。より詳細には、一方の遮蔽部材６０の第１の面部６１Ａの傾斜面は、灯具部３００の端部ＳＥ１から内周面部２０１Ａの第１の面２０１Ａ１に向かうにしたがって下側に傾斜している。他方の遮蔽部材６０の第１の面部６１Ａの傾斜面は、灯具部３００の端部ＳＥ２から内周面部２０１Ａの第２の面２０１Ａ２に向かうにしたがって下側に傾斜している。遮蔽部材６０が第１の面部６１Ａを備えているので、照明装置１２０は灯具部３００から照射された光を室内へ効率的に照射することができる。なお、第１の面部６１Ａ自体が傾斜して設けられているため、第６の面部６１Ｆは台形状になっている。遮蔽部材６０の第１の面部６１Ａには、光が反射しやすいように光反射塗料で構成される反射膜が形成されている。なお、この反射膜は、遮蔽部材６０の例えば第２の面部５１Ｂ、第３の面部５１Ｃ及び第６の面部６１Ｆ等に形成されていてもよい。
【００５１】
＜実施の形態２の効果＞
照明装置１２０は実施の形態１に係る照明装置１００と同様の効果を有することに加えて次の効果を有する。照明装置１２０の第１の面部６１Ａは灯具部３００の端部から内周面部２０１Ａに向かうにしたがって下側に傾斜している傾斜面を含むので、灯具部３００から出た光は、この傾斜面を反射し、よりルーバー２３０の端部に届きやすくなる。このため、照明装置１２０はルーバー２３０の端部の領域が暗くなることを更に抑制することができる。
【符号の説明】
【００５２】
３  取付部材、３０  取付部材本体、３１  第１の被支持部、３２  第２の被支持部、３３  傾斜面部、３５  操作部、３６  固定部、３７  固定部材、５０  遮蔽部材、５１Ａ  第１の面部、５１Ｂ  第２の面部、５１Ｃ  第３の面部、５１Ｃ１  開口部、５１Ｃ２  開口部、５１Ｄ  第４の面部、５１Ｄ１  開口部、５１Ｄ２  開口部、５１Ｅ  第５の面部、５１Ｆ  第６の面部、６０  遮蔽部材、６１Ａ  第１の面部、６１Ｆ  第６の面部、１００  照明装置、１２０  照明装置、２００  器具本体、２０１  枠体、２０１Ａ  内周面部、２０１Ａ１  第１の面、２０１Ａ２  第２の面、２０１Ａ３  第３の面、２０１Ａ４  第４の面、２０１Ｂ  天面部、２０１Ｃ  通気穴、２０１Ｄ  開口、２０２  フレーム、２０２Ａ  電源端子台、２１０  直流電源装置、２３０  ルーバー、２３０Ａ  領域、２３０ａ  ルーバー連結片、２３０ｂ  ルーバー片、２５１  第１の支持部、２５２  第２の支持部、３００  灯具部、３０２  反射板、３０２Ａ  反射部、３０２Ｂ  折曲部、３０２Ｃ  段部、３０３  透光性カバー、３０３Ａ  曲面部、３０３Ｂ  平面部、３０３Ｃ  平面部、３０３Ｄ  固定部、３０３Ｅ  固定部材、３０４  光源部、３０５  設置部、Ｃｌ  隙間、ＬＥ１  端部、ＬＥ２  端部、Ｏｐ１  開口部、Ｏｐ２  開口部、Ｓ１  面部、Ｓ２  面部、Ｓ３  面部、ＳＥ１  端部、ＳＥ２  端部、Ｕ１  第１の金具、Ｕ２  第２の金具、Ｗ１  配線、Ｗ２  配線。
【図１】
2018125113.tif 000003
【図２】
2018125113.tif 000004
【図３】
2018125113.tif 000005
【図４】
2018125113.tif 000006
【図５Ａ】
2018125113.tif 000007
【図５Ｂ】
2018125113.tif 000008
【図６】
2018125113.tif 000009
【図７】
2018125113.tif 000010
【図８Ａ】
2018125113.tif 000011
【図８Ｂ】
2018125113.tif 000012
【図８Ｃ】
2018125113.tif 000013
【図９】
2018125113.tif 000014
【図１０】
2018125113.tif 000015
【図１１】
2018125113.tif 000016
【図１２】
2018125113.tif 000017
【図１３】
2018125113.tif 000018
【図１４】
2018125113.tif 000019
【図１５】
2018125113.tif 000020